(57)【要約】  外部電源との接続に関するログを記録する電子機器は、初期状態でデータが消去されている所定セクタを有するフラッシュメモリと、外部電源と接続するごとに所定セクタ内のデータを消去することなく所定セクタのうちデータが消去済みの領域に外部電源との接続に関するログを表すデータを記録し、また、前記所定セクタ内の前記ログを表すデータを前記特定セクタに記録した後に、前記所定セクタ内の前記ログを表すデータを消去する記録手段と、を含む。
2012169038.tif 000002
【特許請求の範囲】
【請求項１】
外部電源との接続に関するログを記録する電子機器であって、
初期状態でデータが消去されている所定セクタと、前記所定セクタとは異なる特定セクタと、を有するフラッシュメモリと、
前記外部電源と接続するごとに、前記所定セクタ内のデータを消去することなく、前記所定セクタのうちデータが消去済みの領域に前記ログを表すデータを記録し、また、前記所定セクタ内の前記ログを表すデータを前記特定セクタに記録した後に、前記所定セクタ内の前記ログを表すデータを消去する記録手段と、を含む電子機器。
【請求項２】
請求項１に記載の電子機器において、
前記記録手段は、前記電子機器を電源オン状態にする旨の電源オン指示を前記外部電源と接続した状態で受け付けた場合に、前記所定セクタ内の前記ログを表すデータを前記特定セクタに記録し、その後、前記所定セクタ内の前記ログを表すデータを消去する、電子機器。
【請求項３】
請求項１または２に記載の電子機器において、
前記フラッシュメモリは、ＮＯＲ型フラッシュメモリである、電子機器。
【請求項４】
初期状態でデータが消去されている所定セクタを有するフラッシュメモリを含む電子機器での電源操作ログ記録方法であって、
外部電源と接続するごとに、前記所定セクタ内のデータを消去することなく、前記所定セクタのうちデータが消去済みの領域に前記外部電源との接続に関するログを表すデータを記録し、
前記所定セクタ内の前記ログを表すデータを前記特定セクタに記録し、その後、前記所定セクタ内の前記ログを表すデータを消去する、電源操作ログ記録方法。
【請求項５】
初期状態でデータが消去されている所定セクタを有するフラッシュメモリと接続されたコンピュータに、
外部電源と接続するごとに、前記所定セクタ内のデータを消去することなく、前記所定セクタのうちデータが消去済みの領域に前記外部電源との接続に関するログを表すデータを記録する記録手順と、
前記所定セクタ内の前記ログを表すデータを前記特定セクタに記録した後に、前記所定セクタ内の前記ログを表すデータを消去する消去手順と、を実行させるためのプログラムを記録したコンピュータ読み取り可能な記録媒体。
【発明の詳細な説明】
【技術分野】
【０００１】
本発明は、電子機器、電源操作ログ記録方法および記録媒体に関し、特には、フラッシュメモリに外部電源との接続に関するログを記録する電子機器、電源操作ログ記録方法および記録媒体に関する。
【背景技術】
【０００２】
利用者が電子機器に対して行った操作の履歴を記録し、その履歴に応じて電子機器を制御する技術が、特許文献１に記載されている。具体的には、特許文献１に記載の技術は、利用者にて電源投入操作が行われた時刻の履歴（以下「電源操作履歴」と称する）を記録し、電源操作履歴に基づいて次回の電源投入の予測時刻を算出し、次回の電源投入の予測時刻に電源を自動的に投入する技術である。【０００３】
特許文献２には、電源操作履歴を記憶する記憶手段として、不揮発性メモリを用いた放送受信装置が記載されている。【０００４】
また、不揮発性メモリとしては、フラッシュメモリが一般的に知られている（特許文献３参照）。【０００５】
フラッシュメモリでのデータ書込みシーケンスでは、まず、複数のセルからなるセクタ内のすべてのデータが消去され（例えば、セクタ内のデータがすべて“１”にされる）、その後、そのセクタ内のセルのうち、データ書き込みが必要なセルにデータ（例えばデータ“０”）が書き込まれる。【０００６】
なお、フラッシュメモリでのデータ書込みシーケンスで、最初に、セクタ内のすべてのデータが消去される理由は、以下のとおりである。【０００７】
フラッシュメモリでのデータの書込みは、セル単位で行うことができるが、この書込みでは、データ“１”と“０”のうちいずれか一方（例えば“０”のデータ）しか書き込めない。【０００８】
一方、フラッシュメモリ内のデータを消去する処理は、セルのデータを、書込みができないデータ（例えば“１”のデータ）に設定する処理であり、この処理は、セル単位で実行することはできず、セクタ単位で実行される。【０００９】
このため、データの書込みの前に、セクタ内のすべてのデータを、書込みができないデータ（例えば、“１”のデータ）に設定するデータ消去処理が行われる。
【先行技術文献】
【特許文献】
【００１０】
【特許文献１】特開２００５−１９１８１５号公報
【特許文献２】特開２００９−８８７３７号公報
【特許文献３】特開平１１−３５３２４１号公報
【発明の概要】
【発明が解決しようとする課題】
【００１１】
特許文献３に記載のように、フラッシュメモリでは、セクタ内のデータの消去に時間がかかることが知られている。このため、通常の書込みシーケンスにおいては、書込み対象となるセクタ（以下「対象セクタ」と称する）がたとえ１つでも、書込みシーケンス全体の処理時間が長くなる。【００１２】
一方、外部電源が接続されると、必要最低限のハードウェアおよびソフトウェアだけが動作するスタンバイ状態となる電子機器が知られている。この電子機器では、スタンバイ状態に遷移した直後に利用者が誤って外部電源を遮断する、あるいは、利用者が何らかの理由で故意に外部電源を遮断することが想定される。【００１３】
このため、外部電源が接続された直後のスタンバイ状態時に、通常の書込みシーケンスでフラッシュメモリに電源操作に関する履歴を書き込む処理が開始された状況下で、利用者が誤って外部電源を遮断する、あるいは、利用者が何らかの理由で故意に外部電源を遮断することも想定される。この場合、書込みシーケンスの途中で電源が遮断される。【００１４】
書込みシーケンスの途中で電源が遮断されると、フラッシュメモリへの電源操作に関する履歴の書込みが中断されて電源操作の履歴が不完全な状態となる、あるいは、フラッシュメモリ内の一部のデータが破壊される恐れがあるという課題がある。【００１５】
本発明の目的は、上記課題を解決可能な電子機器、電源操作ログ記録方法および記録媒体を提供することである。
【課題を解決するための手段】
【００１６】
本発明の電子機器は、外部電源との接続に関するログを記録する電子機器であって、
初期状態でデータが消去されている所定セクタと、前記所定セクタとは異なる特定セクタと、を有するフラッシュメモリと、
前記外部電源と接続するごとに、前記所定セクタ内のデータを消去することなく、前記所定セクタのうちデータが消去済みの領域に前記ログを表すデータを記録し、また、前記所定セクタ内の前記ログを表すデータを前記特定セクタに記録した後に、前記所定セクタ内の前記ログを表すデータを消去する記録手段と、を含む。【００１７】
本発明の電源操作ログ記録方法は、初期状態でデータが消去されている所定セクタを有するフラッシュメモリを含む電子機器での電源操作ログ記録方法であって、
外部電源と接続するごとに、前記所定セクタ内のデータを消去することなく、前記所定セクタのうちデータが消去済みの領域に前記外部電源との接続に関するログを表すデータを記録し、
前記所定セクタ内の前記ログを表すデータを前記特定セクタに記録し、その後、前記所定セクタ内の前記ログを表すデータを消去する。【００１８】
本発明の記録媒体は、初期状態でデータが消去されている所定セクタを有するフラッシュメモリと接続されたコンピュータに、
外部電源と接続するごとに、前記所定セクタ内のデータを消去することなく、前記所定セクタのうちデータが消去済みの領域に前記外部電源との接続に関するログを表すデータを記録する記録手順と、
前記所定セクタ内の前記ログを表すデータを前記特定セクタに記録した後に、前記所定セクタ内の前記ログを表すデータを消去する消去手順と、を実行させるためのプログラムを記録したコンピュータ読み取り可能な記録媒体である。
【発明の効果】
【００１９】
本発明によれば、電源操作ログの記録が正確に行われない確率を低くすることが可能になる。
【図面の簡単な説明】
【００２０】
【図１】本発明の一実施形態の電子機器１を示したブロック図である。
【図２】ＮＯＲ型フラッシュメモリ１ａのセクタ構成を説明するための図である。
【図３】電子機器１の動作を説明するためのフローチャートである。
【発明を実施するための形態】
【００２１】
以下、本発明の一実施形態の電子機器について説明する。
【００２２】
図１は、本発明の一実施形態の電子機器１を示したブロック図である。
【００２３】
図１において、電子機器１は、ＮＯＲ型フラッシュメモリ１ａと、記録部１ｂと、動作部１ｃと、を含む。
【００２４】
ＮＯＲ型フラッシュメモリ１ａは、フラッシュメモリの一例である。
【００２５】
図２は、ＮＯＲ型フラッシュメモリ１ａのセクタ構成を説明するための図である。
【００２６】
図２において、ＮＯＲ型フラッシュメモリ１ａは、データ消去単位であるセクタを複数有する。複数のセクタは、仮領域セクタ１１と本領域セクタ１２とを含む。
【００２７】
仮領域セクタ１１は、一般的に所定セクタと呼ぶことができる。仮領域セクタ１１内のデータは、初期状態（例えば、工場出荷時の初期状態）ですべて消去されすべて“１”になっている。本領域セクタ１２は、一般的に特定セクタと呼ぶことができる。
【００２８】
記録部１ｂは、一般的に記録手段と呼ぶことができる。
【００２９】
記録部１ｂは、商用電源等の外部電源と接続するごとに、仮領域セクタ１１内のデータを消去することなく、仮領域セクタ１１のうちデータが消去済みの領域に、外部電源との接続に関するログを表すデータを記録する。以下、「外部電源との接続に関するログ」を単に「ログ」と称し、「ログを表すデータ」を単に「ログデータ」と称する。
【００３０】
また、記録部１ｂは、電子機器１を電源オン状態にする旨の電源オン指示を外部電源と接続した状態で受け付けた場合に、仮領域セクタ１１内のログデータを本領域セクタ１２に記録し、その後、仮領域セクタ１１内のログデータを消去する。
【００３１】
記録部１ｂは、電源プラグ１ｂ１と、入力部１ｂ２と、処理部１ｂ３と、を含む。
【００３２】
電源プラグ１ｂ１は、外部電源のコンセント（不図示）と接続する。入力部１ｂ２は、例えば、電源オンボタンであり、利用者からの電源オン指示および電源オフ指示を受け付ける。
【００３３】
処理部１ｂ３は、電源プラグ１ｂ１が外部電源と接続すると、電源プラグ１ｂ１を介して電源電圧を受け付ける。処理部１ｂ３は、電源電圧を受け付けると動作を開始する。
【００３４】
処理部１ｂ３は、電源プラグ１ｂ１が外部電源と接続するごとに、仮領域セクタ１１内のデータを消去することなく、仮領域セクタ１１のうちデータが消去済みの領域に、ログデータを記録する。
【００３５】
また、処理部１ｂ３は、電源電圧を受け付けている状況で、入力部１ｂ２が電源オン指示を受け付けた場合に、仮領域セクタ１１内のログデータを本領域セクタ１２に記録し、その後、仮領域セクタ１１内のログデータを消去する。また、処理部１ｂ３は、電源電圧を受け付けている状況で、入力部１ｂ２が電源オン指示を受け付けた場合に、動作部１ｃに電源電圧を供給して動作部１ｃを起動する。
【００３６】
処理部１ｂ３は、ＲＴＣ（Real Time Clock）１ｂ３ａと、制御部１ｂ３ｂと、を含む。
【００３７】
ＲＴＣ１ｂ３ａは、日時を表す時刻データを出力する。
【００３８】
制御部１ｂ３ｂは、記録部１ｂ全体の動作を制御し、また、動作部１ｃを制御する。
【００３９】
動作部１ｃは、電源電圧を受け付けると起動する。動作部１ｃは、電子機器１を特徴づける動作を行う。例えば、電子機器１がプロジェクタである場合には、動作部１ｃは、画像を投写する。また、電子機器１がデジタル放送受信装置である場合には、動作部１ｃは、デジタル放送を受信する。
【００４０】
次に、電子機器１の動作を説明する。
【００４１】
図３は、電子機器１の動作を説明するためのフローチャートである。
【００４２】
利用者が電源プラグ１ｂ１を外部電源のコンセントに接続すると、処理部１ｂ３に電源電圧が供給される。処理部１ｂ３に電源電圧が供給されると、電子機器１の状態は、電源未投入の状態から、必要最低限のハードウェアおよびソフトウェアだけが動作するスタンバイ状態に遷移する。
【００４３】
スタンバイ状態になると、処理部１ｂ３が動作を開始し、処理部１ｂ３内の制御部１ｂ３ｂは、外部電源と接続したと判断する（ステップＳ３０１）。
【００４４】
続いて、制御部１ｂ３ｂは、ＲＴＣ１ｂ３ａから時刻データを取得する（ステップＳ３０２）。
【００４５】
続いて、制御部１ｂ３ｂは、ＲＴＣ１ｂ３ａからの時刻データが表す日時を示したタイムスタンプデータを生成する。続いて、制御部１ｂ３ｂは、タイムスタンプデータに、電源投入操作が行われたことを定義するメッセージ（例えば、「電源投入操作有り」というメッセージ）を加えて電源投入操作ログを表すデータを生成する。なお、電源投入操作ログを表すデータは、ログデータの一例である。以下では「電源投入操作ログを表すデータ」を「ログデータ」と称する。続いて、制御部１ｂ３ｂは、ログデータを、仮領域セクタ１１のうちデータが消去済みの領域に書込み保存する（ステップＳ３０３）。
【００４６】
なお、制御部１ｂ３ｂは、仮領域セクタ１１へのログデータの書込みでは、仮領域セクタ１１内のデータの消去（仮領域セクタ１１内のデータをすべて“１”にする動作）は行わず、必要なセルのビットデータを“１”から“０”にするデータ書込みを行う。
【００４７】
仮領域セクタ１１に書き込まれるログデータのフォーマットは、本領域セクタ１２に書き込まれるログデータのフォーマットと同じである必要はなく、例えば、本領域セクタ１２に書き込まれるログデータの冗長部が部分的に除去されたフォーマットが、仮領域セクタ１１に書き込まれるログデータのフォーマットとして用いられてもよい。
【００４８】
スタンバイ状態中に、利用者が電源プラグ１ｂ１を一旦外部電源のコンセントから抜くと、処理部１ｂ３への電源電圧の供給が遮断し（ステップＳ３０４）、電子機器１の状態は、電源未投入の状態になる。
【００４９】
その後、再び、利用者が電源プラグ１ｂ１を外部電源のコンセントに接続すると（ステップＳ３０１）、ステップＳ３０２およびＳ３０３が実行される。
【００５０】
なお、ステップＳ３０３では、制御部１ｂ３ｂは、先に仮領域セクタ１１に保存されているログデータに続けて新しいログデータを付け加えるように、新しいログデータを書き込む。
【００５１】
ステップＳ３０３で、制御部１ｂ３ｂが、仮領域セクタ１１内のログデータを削除することなく、新しいログデータを、仮領域セクタ１１のうちデータが消去済みの領域に追加記録する結果、ステップＳ３０３での仮領域セクタ１１へのデータ書込みの所要時間は、例えば、マイクロ秒オーダーという短時間になる。
【００５２】
このため、利用者による故意または不注意のよる電源遮断行為に起因するデータ書込みの中断、あるいはＮＯＲ型フラッシュメモリでのデータ破壊といったリスクを小さくすることが可能になる。
【００５３】
なお、スタンバイ状態は、外部電源との接続が維持されている状況では、利用者が入力部１ｂ２を操作して電源オン指示（図３では「ＰｏｗｅｒＯｎ要求」として示してある）を入力するまで維持される。
【００５４】
スタンバイ状態で入力部１ｂ２が操作されて電源オン指示が受け付けられると（ステップＳ３０５）、制御部１ｂ３ｂは、動作部１ｃに電源電圧を供給して、電子機器１の状態を電源オン（ＰｏｗｅｒＯｎ）状態にする手続き（起動）を開始する（ステップＳ３０６）。
【００５５】
起動が完了し電子機器１が電源オン状態に完全に遷移すると（ステップＳ３０７）、制御部１ｂ３ｂは、仮領域セクタ１１に保存されているすべてのログデータを、本領域セクタ１２に記録する（ステップＳ３０８）。
【００５６】
本実施形態では、ステップＳ３０８において、制御部１ｂ３ｂは、まず、本領域セクタ１２に既に保存されているログデータと、仮領域セクタ１１に保存されているログデータと、を読み出す。その後、制御部１ｂ３ｂは、本領域セクタ１２内のログデータの消去（本領域セクタ１２内のすべてのデータを“１”にする処理）を行う。その後、制御部１ｂ３ｂは、読み出されたログデータを、タイムスタンプデータに示された日時をベースにソートし、そのソート結果を本領域セクタ１２に書き込む。
【００５７】
続いて、制御部１ｂ３ｂは、仮領域セクタ１１内のすべてのデータの消去（仮領域セクタ１１内のすべてのデータを“１”にする処理）を行う（ステップＳ３０９）。
【００５８】
続いて、電源オン状態で入力部１ｂ２が操作されることで電源オフ指示（図３では「ＰｏｗｅｒＯｆｆ要求」として示してある）が受け付けられると（ステップＳ３１０）、制御部１ｂ３ｂは、動作部１ｃの動作を停止する処理（図３では「ＰｏｗｅｒＯｆｆ手続き」として示してある）を実行する。
【００５９】
制御部１ｂ３ｂは、動作部１ｃの動作を停止する処理（ステップＳ３１１）が完了すると、動作部１ｃへの電源供給を停止し、電子機器１の状態をスタンバイ状態にし、処理をステップＳ３０４に戻す。
【００６０】
なお、ステップＳ３０４は、電子機器１がスタンバイ状態であるとき、利用者はいつでも電子機器１の電源を遮断できることを示している。
【００６１】
本実施形態では、「セクタ内のデータを消去（セクタ内のすべてのデータを“１”にする処理）をしなくても、ビットデータ“１”を“０”に書換えることが可能である」というＮＯＲ型フラッシュメモリの特性を利用することで、ＮＯＲ型フラッシュメモリ１ａを搭載した電子機器１において、電源投入操作ログを高速でＮＯＲ型フラッシュメモリ１ａに書込み保存することが可能になる。
【００６２】
本実施形態によれば、ＮＯＲ型フラッシュメモリ１ａ内の仮領域セクタ１１は、初期状態でデータが消去されており、記録部１ｂは、外部電源と接続するごとに、仮領域セクタ１１内のデータを消去することなく、仮領域セクタ１１のうちデータが消去済みの領域にログデータを記録する。そして、記録部１ｂは、仮領域セクタ１１内のログデータを本領域セクタ１２に記録した後に、仮領域セクタ１１内のログデータを消去する。
【００６３】
記録部１ｂは、ログデータを記録する際に、仮領域セクタ１１内のデータを消去する消去処理を行わないため、消去処理を伴ってログデータを記録する場合に比べて、ログデータの記録に要する時間を短くすることが可能になる。
【００６４】
よって、ログデータの記録中に、利用者の操作に応じて電子機器１への電源電圧の供給が遮断されて、ログデータの記録が中断する、あるいはＮＯＲ型フラッシュメモリ１ａ内のデータが破壊されるといったリスクを小さくすることが可能になる。また、仮領域セクタ１１内のログデータは、本領域セクタ１２に記録した後に消去される。このため、仮領域セクタ１１がログデータで満たされてログデータを記録できなくなる状況を回避可能となる。この効果は、ＮＯＲ型フラッシュメモリ１ａと記録部１ｂからなる電子機器でも奏する。
【００６５】
また、本実施形態によれば、記録部１ｂは、外部電源と接続した状態で電源オン指示を受け付けた場合に、仮領域セクタ１１内のログデータを本領域セクタ１２に記録し、その後、仮領域セクタ１１内のログデータを消去する。
【００６６】
電源オン指示が受け付けられた状況では、利用者は、電子機器１を利用する可能性が高く、電子機器１への電源電圧の供給が急に遮断される可能性は低い。このため、記録部１ｂは、電子機器１への電源電圧の供給が急に遮断される可能性が低い時期に、仮領域セクタ１１内のログデータを本領域セクタ１２に記録し、その後、仮領域セクタ１１内のログデータを消去するという、時間のかかる一連の動作を行うことになる。よって、時間のかかる一連の動作が、電子機器１への電源電圧の供給が急に遮断されることによって中断される可能性を低くできる。
【００６７】
なお、上記実施形態では、電子機器１として、スタンバイ状態を有する電子機器を用いたが、電子機器１は、スタンバイ状態を有さない電子機器でもよい。この場合、制御部１ｂ３ｂは、電源プラグ１ｂ１が外部電源のコンセントに接続されて電源プラグ１ｂ１から電源電圧を受け付けたときに、仮領域セクタ１１のうちデータが消去済みの領域に、ログデータを記録する。
【００６８】
また、処理部１ｂ３は、コンピュータにて実現されてもよい。この場合、コンピュータは、コンピュータにて読み取り可能なＣＤ−ＲＯＭ（Compact Disk Read Only Memory）のような記録媒体に記録されたプログラムを読込み実行して、処理部１ｂ３として機能する。記録媒体は、ＣＤ−ＲＯＭに限らず適宜変更可能である。
【００６９】
以上、実施形態を参照して本願発明を説明したが、本願発明は上記実施形態に限定されるものではない。本願発明の構成や詳細には、本願発明のスコープ内で当業者が理解し得る様々な変更をすることができる。
【符号の説明】
【００７０】
１        電子機器
１ａ      ＮＯＲ型フラッシュメモリ
１ｂ      記録部
１ｂ１    電源プラグ
１ｂ２    入力部
１ｂ３    処理部
１ｂ３ａ  ＲＴＣ
１ｂ３ｂ  制御部
１ｃ      動作部
１１      仮領域セクタ
１２      本領域セクタ
【図１】
2012169038.tif 000003
【図２】
2012169038.tif 000004
【図３】
2012169038.tif 000005
【手続補正書】
【提出日】平成25年12月3日(2013.12.3)
【手続補正１】
【補正対象書類名】特許請求の範囲
【補正対象項目名】全文
【補正方法】変更
【補正の内容】
【特許請求の範囲】
【請求項１】
外部電源との接続に関するログを記録する電子機器であって、
初期状態でデータが消去されている所定セクタと、前記所定セクタとは異なる特定セクタと、を有するＮＯＲ型フラッシュメモリと、
前記外部電源と接続されると、前記所定セクタ内のデータを消去することなく、前記所定セクタのうちデータが消去済みの領域に前記ログを表すデータを記録し、前記電子機器を電源オン状態にする旨の電源オン指示を受け付ける前に前記外部電源と遮断された後、再び前記外部電源と接続された場合、前記所定セクタ内のデータを消去することなく、前記ログを表すデータを記録した前記所定のセクタと同じセクタのうちデータが消去済みの領域に新しい前記ログを表すデータを記録する記録手段と、を含む電子機器。
【請求項２】
請求項１に記載の電子機器において、
前記記録手段は、前記電子機器を電源オン状態にする旨の電源オン指示を前記外部電源と接続した状態で受け付けた場合に、前記所定セクタ内の前記ログを表すデータを前記特定セクタに記録し、その後、前記所定セクタ内の前記ログを表すデータを消去する、電子機器。
【請求項３】
初期状態でデータが消去されている所定セクタを有するＮＯＲ型フラッシュメモリを含む電子機器での電源操作ログ記録方法であって、
外部電源と接続されると、前記所定セクタ内のデータを消去することなく、前記所定セクタのうちデータが消去済みの領域に前記外部電源との接続に関するログを表すデータを記録し、前記電子機器を電源オン状態にする旨の電源オン指示を受け付ける前に前記外部電源と遮断された後、再び前記外部電源と接続された場合、前記所定セクタ内のデータを消去することなく、前記ログを表すデータを記録した前記所定のセクタと同じセクタのうちデータが消去済みの領域に新しい前記ログを表すデータを記録する、電源操作ログ記録方法。
【請求項４】
初期状態でデータが消去されている所定セクタを有するＮＯＲ型フラッシュメモリと接続されたコンピュータに、
外部電源と接続されると、前記所定セクタ内のデータを消去することなく、前記所定セクタのうちデータが消去済みの領域に前記外部電源との接続に関するログを表すデータを記録し、前記コンピュータを電源オン状態にする旨の電源オン指示を受け付ける前に前記外部電源と遮断された後、再び前記外部電源と接続された場合、前記所定セクタ内のデータを消去することなく、前記ログを表すデータを記録した前記所定のセクタと同じセクタのうちデータが消去済みの領域に新しい前記ログを表すデータを記録する手順を実行させるためのプログラム。
【手続補正３】
【補正対象書類名】明細書
【補正対象項目名】００１６
【補正方法】変更
【補正の内容】
【００１６】
本発明の電子機器は、外部電源との接続に関するログを記録する電子機器であって、
初期状態でデータが消去されている所定セクタと、前記所定セクタとは異なる特定セクタと、を有するＮＯＲ型フラッシュメモリと、
前記外部電源と接続されると、前記所定セクタ内のデータを消去することなく、前記所定セクタのうちデータが消去済みの領域に前記ログを表すデータを記録し、前記電子機器を電源オン状態にする旨の電源オン指示を受け付ける前に前記外部電源と遮断された後、再び前記外部電源と接続された場合、前記所定セクタ内のデータを消去することなく、前記ログを表すデータを記録した前記所定のセクタと同じセクタのうちデータが消去済みの領域に新しい前記ログを表すデータを記録する記録手段と、を含む。
【手続補正４】
【補正対象書類名】明細書
【補正対象項目名】００１７
【補正方法】変更
【補正の内容】
【００１７】
本発明の電源操作ログ記録方法は、初期状態でデータが消去されている所定セクタを有するＮＯＲ型フラッシュメモリを含む電子機器での電源操作ログ記録方法であって、
外部電源と接続されると、前記所定セクタ内のデータを消去することなく、前記所定セクタのうちデータが消去済みの領域に前記外部電源との接続に関するログを表すデータを記録し、前記電子機器を電源オン状態にする旨の電源オン指示を受け付ける前に前記外部電源と遮断された後、再び前記外部電源と接続された場合、前記所定セクタ内のデータを消去することなく、前記ログを表すデータを記録した前記所定のセクタと同じセクタのうちデータが消去済みの領域に新しい前記ログを表すデータを記録する。
【手続補正５】
【補正対象書類名】明細書
【補正対象項目名】００１８
【補正方法】変更
【補正の内容】
【００１８】
本発明のプログラムは、初期状態でデータが消去されている所定セクタを有するＮＯＲ型フラッシュメモリと接続されたコンピュータに、
外部電源と接続されると、前記所定セクタ内のデータを消去することなく、前記所定セクタのうちデータが消去済みの領域に前記外部電源との接続に関するログを表すデータを記録し、前記コンピュータを電源オン状態にする旨の電源オン指示を受け付ける前に前記外部電源と遮断された後、再び前記外部電源と接続された場合、前記所定セクタ内のデータを消去することなく、前記ログを表すデータを記録した前記所定のセクタと同じセクタのうちデータが消去済みの領域に新しい前記ログを表すデータを記録する手順を実行させる。
【国際調査報告】
2012169038.tif 000006
2012169038.tif 000007
2012169038.tif 000008
2012169038.tif 000009